(57)【特許請求の範囲】
【請求項１】
軒天パネル（１）が、化粧鋼板（１０）の裏面部に防火下地材（１１）を備えたものからなり、化粧鋼板（１０）の軒先側は、防火下地材（１１）の側面部へと上方に屈折した後、外方に屈折延長して形成された取付け板部（１０ａ）を備え、該取り付け板部（１０ａ）から更に下方に屈折し、更に外方に屈折延長し、その延長先端部が水切り形状に内向き斜め上方に折り返されており、
破風下地桟（２）の下端面に、通気部形成用のピースものの金物（１４）が、下方突出状に、長手方向に沿って所定間隔おきに、接合具（１３）にて取り付けられると共に、前記軒天パネル（１）は、その軒先側の化粧鋼板の取り付け板部（１０ａ）が、接合具（１３）にて前記金物（１４）に下から取り付けられて、軒天パネル（１０）と破風下地桟（２）との間に小屋裏内（１５）部に通じる通気部（１６）が形成され、
破風下地桟（２）の外面部に破風水切（４）が取り付けられ、該破風水切（４）は、その下端側（４ａ）が、外方斜め下方に屈折して延ばされ、その下端先端部（４ｂ）が裏面側に折り返されて水切り形状に形成され、該下端先端部（４ｂ）は、軒天パネル（１）の化粧鋼板（１０）の軒先側先端部よりも外方に位置して、前記通気部（１６）が、該破風水切（４）の下端先端部（４ｂ）と軒天パネル（１）の化粧鋼板（１０）の軒先側先端部との間を通じて、屋外に開放され、
破風水切（４）の外方側には、軒樋（５）が備えられ、破風水切（４）は、軒樋（５）を取り外さなければ取り外せない態様で備えられ、
軒天パネル（１）の軒先側は、その化粧鋼板（１０）の軒先側と前記金物（１４）とを接合している接合具（１３）を取り外すことで、破風水切（４）に妨げられることなく金物（１４）から下方に変位させて取り外すことができるようになされていることを特徴とする軒先構造。
【請求項２】
外壁（３）に、軒天パネルランナーや軒天パネル下地桟などの長尺のパネル保持部材（１２）が、それらの間に通気部を形成しない接触状態に取り付けられ、このパネル保持部材（１２）に軒天パネル（１）の外壁（３）側の端部が保持されている請求項１に記載の軒先構造。
【請求項３】
前記軒樋（５）の下方に、破風水切（４）を伝う雨水を受ける浅底樋状の軒樋カバー（７）が備えられると共に、軒樋（５）の外方側に化粧破風（８）が備えられ、この化粧破風（８）と軒樋カバー（７）とで軒樋（５）が隠蔽され、
前記軒樋カバー（７）の幅方向内方側の取付け板部（７ｂ）が、前記金物（１４）に備えられたステー部（１４ａ）に接合具（１３）にて取り付けられ、軒天パネル（１）の軒先側は、その化粧鋼板（１０）の軒先側と前記金物（１４）とを接合している接合具（１３）を取り外すことで、軒樋カバー（７）に妨げられることなく金物（１４）から下方に変位させて取り外すことができるようになされている請求項１又は２に記載の軒先構造。
【発明の詳細な説明】
【０００１】
【発明の属する技術分野】
本発明は、軒先構造に関する。
【０００２】
【従来の技術】
従来より、図１０に示すような軒先構造が提供されている。この軒先構造では、軒天パネル５１が次のように取り付けられている。即ち、外壁５３の表面にピースものの軒天吊り金物５７が複数、水平方向に間隔的に取り付けられ、この軒天吊り金物５７に、軒天パネル下地桟５８が、外壁５３との間に小屋裏内部５９への通気部６０を形成するように外壁５３と所定の間隔をおいて取り付けられている。そして、軒天パネル５１は、その外壁側が軒天パネル下地桟５８の下面に、また、軒先側が破風下地桟５２の下面に、それぞれネジ、釘等の接合具６１にて取り付けられている。そして、破風下地桟５２の外面部に破風水切５４が取り付けられ、この破風水切５４の下端部５４ａは、内方、即ち軒天パネル５１の下面側に水切形状に折り返されて、破風下地桟５２と軒天パネル５１との接合部を隠蔽する構成となされている。
【０００３】
【発明が解決しようとする課題】
しかし、上記のような軒先構造では、小屋裏内部５９への通気部６０が、軒天パネル５１の外壁際に備えられているため、強風時には、風が外壁５３に遮られて、通気部６０を挟む内外の圧力差を大きくしてしまい、雨水がこの通気部６０を通じて小屋裏内部５９に吹き込まれやすいという問題があった。
【０００４】
また、破風下地桟５２の外面部に取り付けられている破風水切５４は、その下端側５４ａが、上記のように、軒天パネル５１の下面側に水切形状に折り返されて、破風下地桟５２と軒天パネル５１との接合部を隠蔽する構成となされているため、軒先工事では、軒天パネル５１の取付け工事をした後でなければ、破風水切５４の取付け工事にとりかかることができず、そのため、工事に後先を生じさせて、段取りに支障を来たすことがあった。また、このような構造では、軒天パネル５１が劣化したりあるいは破損したりした場合の軒天パネル交換工事において、破風水切５４の取外しを必要とし、交換工事が周辺部材の取外しを要する大掛かりなものになってしまうという問題もあった。
【０００５】
更に、外壁５３が、その外面部に凹凸の柄を有するものである場合や、外壁パネルからなるものであるような場合などにおいては、通気部６０の形成用のピースものの各軒天吊り金物５７が、外壁面材の凹凸の柄や外壁パネルの不陸を拾ってしまい、軒天パネル下地桟５８の取付けを行いにくいものにし、ひいては、軒天パネル５１の取付け工事を厄介で手間のかかるものにしてしまうという問題もあった。
【０００６】
本発明は、上記のような従来の問題点に鑑み、強風時に雨水が小屋裏内部に吹き込まれるのを抑制ないし防止でき、しかも、軒天パネルの取付け工事と破風水切の取付け工事のいずれをも先行させることができると共に、軒天パネルの交換工事も容易に行え、更に、軒天パネルの外壁側の取付けを外壁表面の不陸に影響されることなく容易に行うことができる軒先構造を提供することを課題とする。
【０００７】
【課題を解決するための手段】
上記課題は、破風下地桟の下端部に、軒天パネルの軒先側又は軒天パネルランナーが、それらの間に小屋裏内部への通気部を形成するように間隔をおいて金物にて取り付けられ、かつ、破風水切が、前記通気部を開放する態様において、破風下地桟の外面部に取り付けられてなることを特徴とする軒先構造によって解決される。
【０００８】
即ち、本発明の軒先構造では、通気部が、軒天パネルの軒先側に備えられた構造であることにより、強風時であっても、通気部を挟む内外の圧力差は比較的小さく抑えられる。従って、強風時に雨水が小屋裏内部に吹き込まれるのが有効的に抑制ないし防止される。
【０００９】
しかも、この通気部は、軒天パネルの軒先側又は軒天パネルランナーと破風下地桟の下端部とが、それらの間に間隔をおいて、金物にて取り付けられることで形成されるものであり、従って、破風水切は、軒天パネルの軒先側又は軒天パネルランナーとの取り合い関係において、この通気部を開放する態様において、破風下地桟の外面部に取り付けられることになる。そのため、破風水切と、軒天パネルの軒先側又は軒天パネルランナーとの取り合い関係が、上記のような通風部の存在によって分断され、破風水切の下端部を軒天パネルの下面側に大きく折り返す必要がなくなる。その結果、軒天パネルの取付けが破風水切の存在によって妨げられるというようなことがなくなり、また、破風水切の取付けが軒天パネルの存在によって妨げられるというようなこともなくなって、軒天パネルの取付け工事と破風水切の取付け工事のいずれをも先行させることができるようになる。従ってまた、劣化や破損等による軒天パネルの交換工事も、破風水切を取り外すことなく行うことができるようになる。
【００１０】
更に、通気部を上記のように軒天パネルの軒先側に形成することにより、軒天パネルの外壁側の通気部を排除できる。従って、軒天パネルの外壁側において、通気部形成用のピースものの軒天吊り金物を排除しえて、外壁に、軒天パネルランナーや軒天パネル下地桟などの長尺のパネル保持部材を、それらの間に通気部を形成しない接触状態ないしはほぼ接触状態に取り付けることができるようになる。従って、そのようにすることによって、外壁がその外面部に凹凸の柄を有するものである場合や外壁パネルからなるものであるような場合であっても、上記のパネル保持部材は、外壁面材の凹凸の柄や外壁パネルの不陸を拾うことなく、容易に外壁に取り付けられるようになり、ひいては、軒天パネルの取付け工事が容易なものになる。
【００１１】
また、破風水切の外方側に隣接して備えられた軒樋の下方に、破風水切を伝う雨水を受ける浅底樋状の軒樋カバーが備えられたものとすることにより、軒樋と破風水切との間の隙間を通じての雨垂れが防がれる。更に、軒樋の外方側に化粧破風を備えさせ、この化粧破風と軒樋カバーで軒樋を隠蔽する構成とすることにより、軒樋の選定をその意匠的外観にとらわれることなく行うことができるようになる。
【００１２】
【発明の実施の形態】
次に、本発明の実施形態を図面に基づいて説明する。
【００１３】
図１ないし図４に示す第１実施形態の軒先構造において、１は軒天パネル、２は破風下地桟、３は建物の外壁である。また、４は破風水切、５は軒樋、６は軒樋受け金物、７は軒樋カバー、８は化粧破風である。
【００１４】
軒天パネル１は、化粧鋼板１０の裏面側に防火下地材１１を備えさせたものであり、この化粧鋼板１０は、その外壁側が防火下地材１１の上面側に折り返され、軒先側が防火下地材１１の外方に延長されている。即ち、化粧鋼板１０の軒先側は、防火下地材１１の側面部へと上方に屈折された後、外方に屈折延長されてそこを取付け板部１０ａとし、そして、この取付け板部１０ａを見えにくくするため、更に下方に屈折され、更に外方に屈折延長され、その延長先端部が水切形状に内向き斜め上方に折り返されて、そこに通風ガイド板部１０ｂが形成されている。
【００１５】
そして、外壁３には、この軒天パネル１を保持する化粧鋼板製の長尺のランナー１２が、ネジ、釘等の接合具１３にて接触状態に取り付けられ、また、破風下地桟２の下端面には、通気部形成用のピースものの金物１４が、下方突出状に、長手方向に沿って所定間隔おきに、ネジ、釘等の接合具１３にて取り付けられており、軒天パネル１は、その外壁側をランナー１２に差し込み、軒先側の取付け板部１０ａを金物１４にネジ、釘等の接合具１３にて取り付けることによって、軒下に備えられている。このような取付け構造により、軒天パネル１の軒先側には、軒天パネル１の取付け板部１０ａの上面と破風下地桟２の下端面との間に小屋裏内部１５に通じる通気部１６が形成されると共に、軒天パネル１の外壁側の通気部は排除される。
【００１６】
一方、破風下地桟２の外面部に取り付けられた破風水切４の下端側４ａは、上記の通気部１６を開放するように、外方斜め下方に屈折して延ばされ、その下端先端部４ｂは、裏面側に折り返されて水切形状に形成されている。
【００１７】
そして、破風水切４の外方側には、軒樋５が、軒樋受け金物６に保持されて備えられ、この軒樋５の下方に、浅底樋状の軒樋カバー７が備えられている。この軒樋カバー７の上方に破風水切４の下端水切部４ｂが臨まされ、軒樋カバー７が破風水切４を伝う雨水を受けるようになされている。
【００１８】
この軒樋カバー７は、軒樋５を下方から隠蔽するような寸法幅の平坦状のもので、素板の幅方向両端部を上方に屈折させて側板部７ａ，７ａを形成することにより浅底樋状となし、更に、これらの側板部７ａ，７ａの上端部を外方に水平に屈折させて取付け板部７ｂ，７ｂを形成したものである。
【００１９】
この軒樋カバー７の幅方向内方側の取付け板部７ｂは、次のように取り付けられている。即ち、上記した通風部形成用の金物１４には、ステー部１４ａが、軒天パネル１の通風ガイド部１０ｂを越えるように、外方斜め下方に延びて、一体的に備えられている。軒樋カバー７の幅方向内方側の取付け板部７ｂは、金物１４のこのステー部１４ａに、ネジ、釘等の接合具１３にて取り付けられている。このような取付け態様により、軒天パネル１の通風ガイド部１０ｂ、軒樋カバー７の側板部７ａ、同取付け板部７ｂ、破風水切４の下端外方屈折板部４ａなどに囲まれて、下方に開口１７ａし該開口部１７ａを通気部１６と連絡させる通風導入部１７が形成されている。
【００２０】
また、軒樋カバー７の外方側取付け板部７ａは、次のように取り付けられている。即ち、軒樋受け金物６には、これと一体的に、化粧破風下地材１８が備えられ、この化粧破風下地材１８は、軒樋５の外方側を下方に延び、下端１８ａが内方に水平に屈折されている。軒樋カバー７の外方側取付け板部７ａは、この化粧破風下地材１８の下端水平板部１８ａの内方先端部に、ネジ、釘等の接合具１３にて取り付けられて保持されている。
【００２１】
そして、軒樋受け金物６の化粧破風下地材１８の外面側には、化粧破風８が、軒樋５と軒樋カバー７との間を外方から隠蔽するように取り付けられている。この化粧破風８の下端部８ａは、内方に屈折され、軒樋カバー７の幅方向外方の端部の位置まで水平に延ばされている。そして、化粧破風８の外面部を伝う雨水が、化粧破風８の下端水平部８ａの下面側に回り込まないよう、その屈折部８ｂが下方に突出された水切形状に形成されている。
【００２２】
上記構成の軒先構造では、小屋裏内部１５への通気部１６が、軒天パネル１の外壁側ではなく軒先側に備えられているから、強風時であっても、通風導入部１７および通気部１６を挟む内外の圧力差は比較的小さく、従って、雨水が小屋裏内部１５に吹き込まれるのが抑制ないし防止される。
【００２３】
しかも、破風下地桟２の下端面と軒天パネル１の取付け板部１０ａとを間隔保持用の金物１４を介して取り付けることによって、軒天パネル１の軒先側に通気部１６を形成し、破風水切４の下端部４ａを、通気部１６を開放するように外方に屈折させて破風下地桟２の外面部に取り付けた構成としているから、破風水切４及び軒樋５の取付け工事と、軒天パネル１の取付け工事のうちのいずれをも先行させることができる。
【００２４】
即ち、軒天パネル１の取付け工事後に破風水切４及び軒樋５の取付け工事を行う場合は、破風下地桟２の外面部に破風水切４を取り付け、更に軒樋受け金物６を取り付け、この軒樋受け金物６に軒樋５を保持させることによって遂行される。このように、軒天パネル１が先行して取り付けられていることによって、破風水切４、軒樋５の取付け工事が困難になるというようなことはない。
【００２５】
また、破風水切４及び軒樋５の取付け工事後に軒天パネル１の取付け工事を行う場合は、破風下地桟２の下端面に通風部形成用の金物１４を取り付けると共に、ランナー１２を外壁３に取り付け、そして、軒天パネル１の外壁側をランナー１２に差し込み、軒天パネル１の軒先側の取付け板部１０ａを金物１４にネジ１３にて取り付ければよい。この場合も、破風水切４及び軒樋５が先行して取り付けられていることによって軒天パネル１の取付け工事が困難となるというようなことはない。
【００２６】
また、軒天パネル１の取付け工事に先行して破風水切４及び軒樋５の取付け工事を行うに際し、軒樋カバー７と化粧破風８の取付け工事を破風水切４及び軒樋５の取付け工事と併せて行う場合は、予め、通風部形成用の金物１４のみを破風下地桟２の下面に取り付けておくことにより、破風水切４及び軒樋５の取付け工事において、支障なく、軒樋カバー７と化粧破風８の取付け工事も行うことができる。
【００２７】
また、軒天パネル１の交換工事では、軒天パネル１の軒先側の取付け板部１０ａと金物１４とを結合しているネジ、釘等の接合具１３を取り外し、しかる後、軒天パネル１を軒天ランナー１２から抜出して取り外す。そして、用意した新たな軒天パネル１の外壁側を軒天ランナー１２に差し込み、しかる後、軒先側の取付け板部１０ａを金物１４にネジ、釘等の接合具１３にて取り付ければよい。この場合も、破風水切４や軒樋５、化粧破風８、軒樋カバー７が既に取り付けられていることによって軒天パネル１の交換工事が困難となるというようなことはなく、破風水切４や軒樋５などを取り外すことなく、この交換工事を遂行することが可能である。
【００２８】
更に、軒天パネル１の外壁側の通気部を排除し、外壁３に、軒天パネル保持用の長尺なランナー１２を接触状態に取り付ける構成としているから、外壁３がその外面部に凹凸の柄を有するものである場合や外壁パネルからなるものであるような場合であっても、上記のランナー１２を、外壁面材の凹凸の柄や外壁パネルの不陸を拾わせることなく、容易に外壁３に取り付けることができるようになり、ひいては、軒天パネル１の取付け工事を容易に遂行することができる。
【００２９】
また、軒樋５の下方に浅底樋状の軒樋カバー７が備えられて破風水切４を伝う雨水を受けるようになされているから、軒樋５と破風水切４との間の隙間を通じての雨垂れを防ぐことができ、また、軒樋カバー７と化粧破風８とで軒樋５が外方から隠蔽されているから、軒樋５の選定をその意匠的外観にとらわれることなく行うことができるようになり、軒樋５として、製作コストのかからない一般市中品を採用することも可能となる。
【００３０】
図５に示す第２実施形態の軒先構造では、軒天パネル１として、化粧鋼板の備えられていない裸の防火材、例えばケイ酸カルシウム板などの不燃材料が用いられており、その軒先側の取付けのために、ランナー２１が用いられている。このランナー２１は、破風下地桟２の下端部との間に小屋裏内部への通気部１６を形成するように間隔をおいて、金物１４にて、破風下地桟２に取り付けられている。
【００３１】
この金物１４は、軒先側から外壁側にわたすように延ばされており、軒先側には、破風下地桟２の下面にネジ、釘等の接合具１３にて取り付けられる水平な取付け板部１４ｂが備えられると共に、この取付け板部１４ｂの内方側には、破風下地桟２から所定の距離をおいて隣り合って、ランナー位置決め用のＶ字状屈折部１４ｃが設けられている。このＶ字状屈折部１４ｃに、ランナー２１に設けた対応Ｖ字状屈折部２１ａを下方から嵌合することにより、金具１４とランナー２１とが容易に適正な配置関係において組み合わされる。金具１４とランナー２１とは、Ｖ字状屈折部１４ｂ，２１ａの近傍部位置においてネジ、釘等の接合具１３にて結合されている。
【００３２】
そして、この金物１４は、その外壁側が、長尺の保持部材としての軒天パネル下地桟２２にネジ、釘等の接合具１３にて取り付けられて軒天パネル下地桟２２とユニット化されており、この金物１４をネジ、釘等の接合具１３にて外壁３に取り付けることにより、軒天パネル下地桟２２が外壁３にほぼ接触状態に取り付けられている。軒天パネル１は、その軒先側をランナー２１に差し込み、外壁側を軒天パネル下地桟２２の下面にネジ、釘等の接合具１３にて取り付けることにより、軒下に備えられている。ランナー２１と金具１４とを結合しているネジ、釘等の接合具１３は軒天パネル１によって隠蔽される。
【００３３】
一方、破風下地桟２の外面部に取り付けられた破風水切４は、その下端部４ａが、外方斜め下方に屈折して延ばされ、更に、その先端側４ｃが内方に屈折して延ばされて、その先端部４ｄが、破風下地桟２の下方に、ネジ、釘等の接合具１３による金具１４の取付けを阻害しないように突出されている。そして、内方延長板部４ｃは、その内方先端側が横向きＺ字凹状に曲げ成形されて、先端部４ｄがランナー２１の下面に近接状態に配置されて、内方延長板部４ｃとランナー２１との間の隙間が塞がれている。そして、破風水切４のＺ字凹内の外方側の壁には、その長手方向に沿って間隔的に通気口４ｅが形成され、外気が、蛇行状に流通して通気部１６に送られていくようになされている。また、破風水切４の下端外方屈折板部４ａの下端部には外方に突出する重なり状の壁４ｆが形成され、この壁４ｆに軒樋カバー７の内方側の取付け板部７ｂが取り付けられて、破風水切４を伝う雨水がこの重なり壁４ｆを通じて軒樋カバー７に受けられるようになされている。
【００３４】
その他は、上記実施形態と同様である。本実施形態においても、第１実施形態と同様に、強風時に雨水が小屋裏内部１５に吹き込むのを抑制又は防止できるのはもとより、破風水切４及び軒樋５の取付け工事と、軒天パネル１の取付け工事のいずれをも先行させることができると共に、軒天パネルの交換工事を破風水切４、軒樋５等を取り外さずに容易に行うことができる。特に、軒樋カバー７の内方側の取付け板部７ｂは破風水切４の重なり壁４ｆに取り付けられる構造となされているから、軒樋カバー７及び化粧破風８の取付け工事において、金物１４を予め、破風下地桟２に取り付けておく必要もなくなり、軒樋カバー７及び化粧破風８の取付けを含む破風水切４、軒樋５の取付け工事を、軒天パネル１の取付け工事と完全に分離させることができるようになり、工事の段取りをより一層至便に組むことができるようになる。また、外壁３の不陸が軒天パネル下地桟２２の取付けを妨げることもない。
【００３５】
図６ないし図９に示す第３実施形態の軒先構造では、軒樋カバー７及び化粧破風８が省略されると共に、軒先側ランナー２１を破風下地桟２に間隔をおいて取り付ける金物１４が、位置決め用のＶ字状屈折部１４ｃを有するピースものに製作されている。また、長尺保持部材としての軒天パネル下地桟２２がネジ、釘等の接合具１３にて直接に外壁３に取り付けられており、軒天パネル１は、その軒先側をランナー２１に差し込み、外壁側を化粧見切り２３を挟んで軒天パネル下地桟２２の下面にネジ、釘等の接合具１３にて取り付けられ、化粧見切りカバー２４が差込み嵌合されている。その他は上記実施形態と同様である。本実施形態においても、上記各実施形態と同様に、強風時に雨水が小屋裏内部１５に吹き込むのを抑制又は防止できるのはもとより、破風水切４、軒樋５の取付け工事と、軒天パネル１の取付け工事のいずれをも先行させることができると共に、軒天パネル１の交換工事を破風水切４、軒樋５を取り外さずに容易に行うことができる。
【００３６】
以上に本発明のいくつかの実施形態を示したが、本発明はこれら形態に限定されるものではなく、発明思想を逸脱しない範囲で各種の変更が可能である。例えば、上記各実施形態において示した、破風水切４と、軒天パネル１又はランナー２１との取り合い関係は、本発明を具体化した場合の一例にすぎないものであって、要は、通気部１６を軒先側に備えさせた構造のもとで、軒天パネル１の取付け工事と破風水切４の取付け工事のいずれをも先行させうるような取り合い関係に設計されたものであればよい。
【００３７】
【発明の効果】
以上の次第で、本発明の軒先構造は、小屋裏内部への通気部が、軒天パネルの軒先側に備えられた構造であるから、強風時に雨水が小屋裏内部に吹き込まれるのを効果的に抑制ないし防止することができる。
【００３８】
しかも、この通気部は、軒天パネルの軒先側又は軒天パネルランナーと破風下地桟の下端部とが、それらの間に間隔をおいて、金物にて取り付けられることで形成されたものであり、破風水切は、この通気部を開放する態様において、破風下地桟の外面部に取り付けられたものであるから、破風水切と、軒天パネルの軒先側又は軒天パネルランナーとの取り合い関係が、上記のような通風部の存在によって分断されて、軒天パネルの取付けが破風水切の存在によって、また、破風水切の取付けが軒天パネルの存在によって妨げられるというようなことがなくなる。その結果、軒天パネルの取付け工事と破風水切の取付け工事のいずれをも先行させることができるようになり、従ってまた、劣化や破損等による軒天パネルの交換工事も、破風水切を取り外すことなく簡易に行うことができるようになる。
【００３９】
更に、通気部を上記のように軒天パネルの軒先側に形成することにより、軒天パネルの外壁側の通気部を排除でき、従って、軒天パネルの外壁側において、通気部形成用のピースものの軒天吊り金物を排除しえて、外壁に、軒天パネルランナーや軒天パネル下地桟などの長尺のパネル保持部材を、それらの間に通気部を形成しない接触状態ないしはほぼ接触状態に取り付けることができるようになる。従って、そのようにすることによって、外壁がその外面部に凹凸の柄を有するものである場合や外壁パネルからなるものであるような場合であっても、上記のパネル保持部材を、外壁面材の凹凸の柄や外壁パネルの不陸を拾うことなく、容易に外壁に取り付けることができるようになって、軒天パネルの取付け工事を容易なものにすることができる。
【００４０】
また、破風水切の外方側に隣接して備えられた軒樋の下方に、破風水切を伝う雨水を受ける浅底樋状の軒樋カバーが備えられたものとすることにより、軒樋と破風水切との間の隙間を通じての雨垂れを防ぐことができる。更に、軒樋の外方側に化粧破風を備えさせ、この継承破風と軒樋カバーとで軒樋が隠蔽されている構成とすることにより、軒樋の選定をその意匠的外観にとらわれることなく行うことができるようになる。
【図面の簡単な説明】
【図１】軒先構造の第１実施形態を示す断面図である。
【図２】図（イ）は軒天パネルの軒先側の拡大断面図、図（ロ）は軒天パネルの外壁側の拡大断面図である。
【図３】軒先構成部材を分離状態にして示す断面斜視図である。
【図４】通気の態様を示す断面図である。
【図５】軒先構造の第２実施形態を示す断面図である。
【図６】軒先構造の第３実施形態を示す断面図である。
【図７】図（イ）は軒天パネルの軒先側の拡大断面図、図（ロ）は軒天パネルの外壁側の拡大断面図である。
【図８】軒先構成部材を分離状態にして示す断面斜視図である。
【図９】通気の態様を示す断面図である。
【図１０】軒先構造の従来例を示す断面図である。
【符号の説明】
１…軒天パネル
２…破風下地桟
３…外壁
４…破風水切
５…軒樋
７…軒樋カバー
８…化粧破風
１２…ランナー（長尺の保持部材）
１４…金物
１５…小屋裏内部
１６…通気部
２１…ランナー
２２…軒天パネル下地桟（長尺の保持部材）
【図１】
0003989602.tif 000002
【図２】
0003989602.tif 000003
【図３】
0003989602.tif 000004
【図４】
0003989602.tif 000005
【図５】
0003989602.tif 000006
【図６】
0003989602.tif 000007
【図７】
0003989602.tif 000008
【図８】
0003989602.tif 000009
【図９】
0003989602.tif 000010
【図１０】
0003989602.tif 000011